(57)【要約】      （修正有）【課題】高齢者や、身障者などの施設において体が不自由で握力が弱い者の階段からの転落の防止を実現する。【解決手段】平坦な手すりではなく、手で掴んで階段を昇降する際に袖や腕時計に引っかかる部分が多い突起をもたない手すりを構成する。階段を昇降する際、体位を保持し移動するために階段の脇壁に設置されている棒状の手すりに馬背状の突起パーツを任意の間隔に取り付けられることを特徴とする滑り防止突起付き階段手すり。【選択図】図２
0003136889.tif 000002
【実用新案登録請求の範囲】
【請求項１】
階段を昇降する際、体位を保持しながら移動するために階段の脇壁に設置されている棒状の手すり本体に馬背状の形状をした突起パーツを任意の間隔に取り付けたことを特徴とする滑り防止突起付き階段手すり。
【請求項２】
階段手すりに取り付けられた馬背状の形状をした突起パーツに対して、手で掴みやすいように指がフィットするようにアール状のくぼみを形成したことを特徴とする請求項１記載の滑り防止突起付き階段手すり。
【請求項３】
馬背状の形状をした突起パーツを手すり本体に後付可能な構造としたことを特徴とする請求項１、請求項２記載の滑り防止突起付き階段手すり。
【考案の詳細な説明】
【技術分野】
【０００１】
本考案は、階段を昇降する際、体位を保持しながら移動するために階段の脇壁に設置されている棒状の手すりに関するものである。
【背景技術】
【０００２】
従来、一般的で広範に用いられている手すりは単に、断面が丸い棒状か平たい棒状のもので表面は平坦であり、手で掴むための突起は形成されていないものがほとんどであった。また手すりを掴みやすくするために凹凸握り部を構成したもの
【特許文献１】、滑りとめ効果としてフランジ付短尺ユニットを複数個連結したもの
【特許文献２】が存在していた。
【０００３】
【特許文献１】特開２００５−１３３５２３号
【特許文献２】特開２０００−１０４３８６号
【考案の開示】
【考案が解決しようとする課題】
【０００４】
一般的で広範に用いられている手すりは突起がないため手で掴んで階段を昇降する際に手のひらや指に引っかかる部分が少なく滑りやすいため体位の保持が困難な場面があった。特に高齢者や、身障者などの施設において体が不自由で握力が弱い者において顕著であった。また上記、
【特許文献１】においても突起の形状に関する機能に言及しその効果を表したものではなかった。
【特許文献２】では手すりを掴む手のストッパーとしての効果は大きい反面、連結したフランジ付短尺ユニットが角の多い円錐台形状のため、着衣した長袖シャツや腕時計が引っかかりやすい恐れがありまた手を滑らせて移動するのが困難であった。本考案はこれらの欠点を解決するものである。
【課題を解決するための手段】
【０００５】
本考案は体位を保持し移動するために階段の脇壁に設置されている棒状の手すりに馬背状の形状をした突起パーツを一定間隔に取り付けたことにより、常に手すりから手を離すことなく手すりに沿わせて安全な階段の昇降が可能となる。
【０００６】
また、階段手すりに取り付けられた馬背状の形状をした突起パーツに対して手で掴みやすいように指にフィットしたアール状のくぼみをいれたことにより握力等が弱っている場合でも楽に掴むことにより安全に階段の昇降が可能となる。
【０００７】
また、馬背状の形状をした突起パーツを使用することにより手すり本体への後付けが可能となりコスト低減につながる。
【０００８】
また、馬背状の形状をした突起パーツを使用することにより、手を常に手すりから離すことなく手すりに沿わせていても、手のひらや指に引っ掛ることなく安全に階段を昇降できる。
【考案の効果】
【０００９】
本考案の階段手すりは馬背状の形状をした突起パーツを一定間隔に取り付けたことを特徴とし構成するため、階段を昇降する際に手で掴みやすく移動のための体位の保持をしやすい。また馬背状の突起のため着衣した長袖シャツや腕時計などが突起に引っかかりにくく、手を滑らせての移動が容易である。また、特に握力が弱いものや手が小さい子供などは突起でなくその間隙の手すり本体を掴み、手が突起の馬背状のくびれた部分にフィットするようにすると、さらにより手が滑りにくく体位が保持され階段からの転落を防ぎ、昇降を安全に行うことが出来る。また、この馬背状の形状をした突起パーツに色をつけることにより目の不自由な方も安全に使用できる。
【考案を実施するための最良の形態】
【００１０】
馬背状の形状をした突起パーツを一定間隔に取り付けたことを特徴とし構成するため、階段を昇降する際に手で把持しやすく移動のための体位の保持をしやすい階段手すりを実現した。
【実施例１】
【００１１】
以下、添付図面に従って一実施例である本考案の階段手すりについて説明する。図１は、本考案の階段手すりの側面図である。１は手すり本体、２は突起パーツである。このように突起パーツ２を馬背状の形状のカーブが急な部分２ｂは階段の上側（矢印方向）に向くように手すり本体１に設置されている。取付けボルト３は突起パーツを後付で単体でも使用できるような構造にする為に設け、指にフィットさせる為に設けたアール状の溝を２ａとして示している。
【００１２】
図２は本考案の滑り防止突起付き階段手すりを使用した際の階段を下りる場合の斜視図である。手４が突起パーツに指をフィットさせ掴もうとしている状態を示している。このように馬背状の形状をした突起パーツはパソコンのマウスにも採用されているように人間の手で掴みやすい。ゆえに平らな手すりより強固に掴むことが可能であり、体位の保持がしやすく階段からの転落事故を防ぐのに役立つ。
【００１３】
図３は本考案の滑り防止突起付き階段手すりを使用して、特に握力が弱いものや手が小さい子供などが突起でなくその間隙の手すり本体を掴み階段を下りる際の状態を示したもので手４は馬背状の形状をした突起パーツの２により滑りを止められいっそう滑りにくくなっている。
【００１４】
図４は本考案の滑り防止突起付き階段手すりを使用して階段を上がる際の状態を示したもので指が突起パーツにフィットし楽に掴むことができ、より安全に階段を上がることができる。
【００１５】
図５は本考案の滑り防止突起付き階段手すりを使用して、突起パーツ２が取り付けられてない手すり本体１の部分を掴んで階段を上がる際の状態を示したもので手の小指側の部分が、突起パーツ２のカーブの急な部分２ｂがストッパーの役目をして滑り防止になっている状態を示している。
【００１６】
図６は本考案の滑り防止突起付き階段手すりの突起パーツを一般の手すりにも取り付けられるように着脱自在に形成している一例の正面からの断面図である。突起パーツ２を任意の間隔で取付けボルト３により手すり本体１に取り付けられる構造にすることにより、突起パーツを後付け可能にした。
【００１７】
尚、図６は突起パーツ２の手すり本体１への取り付け角度についても同時に示している。
【００１８】
また、馬背状の突起パーツに目立ちやすい色をつけ、視覚障害を持つ方に対して目立ちやすく形成すれば、視覚障害を持たれた方も階段手すりを見つけやすく掴みやすい。
【産業上の利用可能性】
【００１９】
以上述べたように、本考案の滑り防止突起付き階段手すりは馬背状の突起パーツを任意の間隔に取り付けたことを特徴とし構成するため、階段を昇降する際に手で掴みやすく移動のための体位の保持をしやすい。また馬背状の突起パーツのため長袖シャツや腕時計など腕に着衣した障害物が引っかかりにくい。
【００２０】
また、特に握力が弱いものや手が小さい子供などは突起でなくその間隙の手すり本体を掴んで使用し馬背状の突起パーツがストッパーの役目をはたし安全に階段の昇降が可能となる。
【００２１】
また、馬背状の突起パーツに指にフィットするくびれた部分を形成すると、さらにより手が滑りにくく体位が保持され階段からの転落を防ぎ、昇降を安全に行うことが出来る。今日、高齢化社会が加速され身体的弱者に対する安全の確保が問われているが本考案は転落の危険性がある階段の昇降においてそのことを実現するのに役立つ。
【図面の簡単な説明】
【００２２】
【図１】本考案の階段手すりの側面図である。
【図２】本考案の階段手すりを使用して下りる際の斜視図である。
【図３】本考案の階段手すりを別方法の使用で下りる際の斜視図である
【図４】本考案の階段手すりを使用して上がる際の斜視図である。
【図５】本考案の階段手すりを別方法の使用で上がる際の斜視図である
【図６】本考案の階段と滑り防止突起パーツの取付け角度を示す正面からの断面図である。
【符号の説明】
【００２３】
１    手すり本体
２    馬背状の突起パーツ
２ａ  指がフィットするようにつけたくぼみ
２ｂ  馬背状の形状のカーブの急な部分
３    取付けボルト
４    手
４ａ  右手
４ｂ  左手
５    階段を昇降する際の方向
６    階段
７    ナット
【図１】
0003136889.tif 000003
【図２】
0003136889.tif 000004
【図３】
0003136889.tif 000005
【図４】
0003136889.tif 000006
【図５】
0003136889.tif 000007
【図６】
0003136889.tif 000008